【事件の表示】
　特願２００４−１５８１７１「情報取得方法及び装置」拒絶査定不服審判事件〔平成１６年１２月１６日出願公開、特開２００４−３５５６２７〕について、次のとおり審決する。
【結　論】
　本件審判の請求は、成り立たない。
【理　由】
１．手続の経緯・本願発明　
 　本件審判の請求に係る特許出願（以下「本願」という。）は、平成８年７月２日（パリ優先による優先権主張平成７年７月２６日　米国）に出願した特願平８−５３５１９９号の一部を平成１６年５月２７日に新たな特許出願としたものであって、平成１８年２月１４日付け拒絶理由通知に対して、平成１８年５月１８日付けで手続補正がなされたが、平成１８年６月１３日付けで拒絶の査定がなされ、これに対し、平成１８年９月８日付けで拒絶査定不服審判が請求されたものである。そして、本願の請求項１乃至１６に係る発明は、平成１８年５月１８日付け手続補正書によって補正された明細書の特許請求の範囲の請求項１乃至１６に記載された事項により特定されるものと認められるところ、その請求項１に係る発明は次のとおりのものである。
「【請求項１】
　記録媒体から再生手段によって読み取られたデータに基づく、当該記録媒体を独自に識別するために用いることができる識別情報を、インターネット上のリモートデータベースに照会し、
　上記リモートデータベースから上記識別情報に対応する上記記録媒体に関連する関連情報をダウンロードし、
　上記ダウンロードした関連情報を記憶手段に記憶し、
　上記記憶手段に記憶された上記ダウンロードされた関連情報を用いて、利用者が再生リストの編集を行うことを可能にするためのユーザインタフェースを提供することを特徴とする情報取得方法。」（以下「本願発明」という。）
　
２．刊行物及びその記載
　原査定の拒絶の理由に引用された刊行物である特開平３−２１９４８６号公報（以下「刊行物１」という。）には、ディスクに関するデータ管理システムについて、図面とともに以下の記載がある。（なお、下線は当審で付与した。）
（１）「［実施例］
　次に本発明の一実施例を図面を参照して説明する。
　第一図は本発明を示すシステム構成ブロック図である。
　
本システムは、コンピュータ１０１、コンパクトディスクプレーヤ１０２、補助記憶装置１０３、インターフェース１０４、出力装置１０５で構成されている。
  コンピュータ１０１はコンパクトディスクプレーヤ１０２をインターフェース１０４を介して制御し、コンパクトディスクプレーヤ１０２からのデータを受は取るとともに、補助記憶装置１０３を制御し、処理を行った結果を出力装置１０５に出力する。
　
コンパクトディスクプレーヤ１０２は、コンピュータ１０１からの制御データに基づいてコンパクトディスクからデータを読み出し、コンピユータ１０１に対して出力する。
　
補助記憶装置１０３は、例えば磁気ディスク装置などで構成されており、コンピュータ１０１からの制御に基づいてデータを記憶したり、取り出したりする。
　インターフェース１０４は、コンピュータ１０１とコンパクトディスクプレーヤ１０２を電気的に接続するためのインターフェースである。　
　出力装置１０５は、例えばディスプレイなどで構成されており、コンピュータ１０１で処理された結果のデータを表示出力する。
　第二図はコンパクトディスクのリードインエリアに格納されているＴＯＣデータを示すもので、ＣＤには各々ＣＤに入っているトラック数分だけこのＴＯＣデータが格納されている。　
　本発明によるデータ管理システムでは一例としてこれらのデータのうち、ＰＭＩＮ，ＰＳＥＣ，ＰＦＲＡＭＥの３つのデータの並びを用いてＣＤの判別を行っている。　
　次に本システムの動作について第一図、第二図、第三図、第四図を用いて説明する。
　
まずコンピュータ１０１は、常時インターフェース１０４を介して、コンパクトディスクプレーヤ１０２を監視しており、コンパクトディスクプレーヤ１０２にＣＤがセットされた時点で、セットされたＣＤのリードインエリアに格納されているＴＯＣデータを、インターフェース１０４を介してコンパクトディスクプレーヤ１０２を制御して読み取る（ＳＴＥＰＩ）。
　
コンピュータ１０１は読み取ったＴＯＣデータ群のＰＭＩＮ，ＰＳＥＣ，ＰＦＲＡＭＥをそれぞれ抽出し、各々のＣＤに格納されているトラック数は最小１トラツクから最大９９トラツク、またその各々のトラックの長さは最小２秒から最長約７４分、そのうえ１秒は７５フレームで構成されているために、確率的にいって同じ長さのトラックが同じ順序で同じトラック数並ぶことは非常に低くなることから、本実施例では、一例として、ＰＭＩＮ，ＰＳＥＣ，ＰＦＲＡＭＥの並びをそのＣＤ固有の識別子（ＩＤ）として使用する（ＳＴＥＰ２）。
　
セットされたＣＤのＴＯＣからＩＤを作成したコンピュータ１０１は、補助記憶装置１０３の中にある任意の形のデータベースから現在持っているＩＤと一致するＩＤを持ったファイルを検索する（ＳＴＥＰ３）。
　
ここでいうデータベースとは、例えばタイトル名，曲名などを管理するものであり、もしここで一致するＩＤが見つからなければ新たに現在持っているＩＤを検索キーとする新たなファイルをデータベースに作成する（ＳＴＥＰ４）。
　
ここで一致するＩＤを持つファイルが見つかった場合には、そのデータをコンピュータ１０１が適宜処理を行い、その結果を出力装置１０５に適した型のデータに変換して出力装置１０５に出力する（ＳＴＥＰ５）。
　また、本発明のデータ管理システムで使用するデータベースは、コンピュータ１０１で自由に操作できるため、他のアプリケーションで使用することも可能である。」（２頁左下欄３行〜３頁右上欄２０行）
　
　上記摘示事項を、図面とともに総合整理すると、刊行物１には次の発明が記載されているものと認める。
「コンピュータ、コンパクトディスクプレーヤ、補助記憶装置、インターフェース、出力装置からなるシステムにおいて、
コンピュータは、コンパクトディスクプレーヤにセットされたＣＤのＴＯＣデータを、インタフェースを介して、コンパクトディスクプレーヤを制御して読み取り、
ＣＤから読み取ったＴＯＣデータからＣＤ固有の識別子（ＩＤ）を作成し、
補助記憶装置の中にあるタイトル名、曲名などを管理するデータベースから現在持っているＩＤと一致するＩＤを持ったファイルを検索し、
ここで一致するＩＤを持つファイルが見つかった場合には、そのデータをコンピュータが適宜処理を行い、出力装置に適した型のデータに変換して出力装置に出力するディスクに関するデータ管理システム」（以下「刊行物１発明」という。）
　
 　また、同じく、原査定の拒絶の理由で引用された刊行物である特開平２−２４９１８７号公報（以下「刊行物２」という。）には、カラオケシステムとして、具体的に、図面とともに以下の記載がある。　
　
（２）「次に、上記実施例の動作を第２図に示したフローチャートに基づいて説明すると、入力装置４によって希望するカラオケ曲の識別コードを入力すれば、ＣＰＵ３が作動してドライブ２を制御し、ＣＤ−ＲＡＭ１の中から識別コードの付されたカラオケデータ本体を取り出し、ＣＰＵ３の内蔵ＲＡＭにセーブし、シーケンサ５に出力する。その内、文字情報についてはシーケンサ５からの順次出力に応じて表示装置６に歌詞表示が行われる。
また、音楽情報はやはりシーケンサ５で順次処理をされたのちに再生装置１０でアナログ処理をされてスピーカ９から音楽として再生される。　
　ところで、
ＣＰＵ３によってＣＤ−ＲＡＭ１を検索しても入力された識別コードが見当たらなかった場合（ＮＯ）は、ＣＰＵ３が直ちに公衆回線１２を通じてホストコンピュータ１１に希望のカラオケデータの送信を要求する。これによって要求されたカラオケデータはダウンロードされ、ＣＤ−ＲＡＭ１にセーブされた後、上述と同様に表示装置６に歌詞表示が、再生装置１０からは音楽再生が行われるのである。
（３）「〔発明の効果〕
　本発明のカラオケシステムによれば、音楽と歌詞を二進符号化して読み書き自在な光ディスクにデータベースとして収録し、通常はこの光ディスクから識別コードによって必要な情報を取り出すこととしているので、大量の情報が１枚のディスクのみを利用するだけで足り、余分な保管場所を確保する必要がなくなった。また、全く利用することがない情報は適宜光ディスクから消去することができるので、データベースを整理すると共に、空き容量を確保することができる。　
　
さらに、光ディスクに収録されていない情報で、必要な情報に関しては、ホストコンピュータをデータベースとしてこれからダウンロードさせることによって、より内容の充実したものとすることができるなど、利用範囲が大変広いカラオケシステムを提供することができた。
　
 　また、同じく、原査定の拒絶の理由で引用された刊行物である特開平６−１５０５０１号公報（以下「刊行物３」という。）には、カセットオートチェンジャ制御装置として、具体的に、図面とともに以下の記載がある。　
（４）「【００２４】（２）再生／記録リストの作成
カセツトオートチエンジヤ１０の外部制御装置１２は、図２に示す再生／記録リスト（プログラム）作成処理手順によつて再生／記録リストを作成するようになされている。
【００２５】
すなわち外部制御装置１２のモニタ１２Ａには再生リストを作成するための初期画面として図３に示すようなアプリケーシヨン画面が表示される。
従つてカーソル２５をメニユー選択領域ＭＮ１の「Edit」の文字上に移動し、マウス１２Ｃのクリツクボタンを押圧操作すると、図４に示すようなメニユー項目Ｗ１０か表示される。
【００２６】
この状態において、外部制御装置１２の制御部１２Ｂは図２の再生／記録リスト作成処理手順のステツプＳＰ１１において「Insert」メニユーが選択されたか否かを判断する。
【００２７】
これに対してステツプＳＰ１１において肯定結果が得られると、このことはユーザがメニユー項目Ｗ１０の「Insert」の文字にカーソル２５を移動及びクリツクして当該「Insert」メニユーを選択したことを表しており、このとき制御部１２Ｂは続くステツプＳＰ１２に移つて「Insert Playback Event」ウインドを開き、カート（カセツトオートチエンジヤ本体１１）内に収納されているカセツトの情報を、カセツト情報ウインドに表示する。
【００２８】
この結果図５に示すように、モニタ１２Ａには再生リストに挿入するためのカセツト情報が「Insert Playback Event」ウインドＷ１１によつて表示される。この「Insert Playback Event」ウインドＷ１１には、予め制御部１２Ｂのメモリに記憶されているカセツトオートチエンジヤ本体１１内に収納されたカセツトの情報がカセツト情報ウインドＷ１２として表示される。
【００２９】この状態において制御部１２Ｂは続くステツプＳＰ１３に移り、「Insert Playback Event」ウインドＷ１１内の中止指示を表す「Close」文字２６が選択されたか否かを判断する。ここで肯定結果が得られると、このことはユーザがカーソル２５を「Close」文字２６に移動してクリツクしたことを表しており、このとき制御部１２ＢはステツプＳＰ１６に移つて当該「Insert Playback Event」ウインドＷ１１を閉じる。
【００３０】これに対してステツプＳＰ１３において否定結果が得られると、制御部１２Ｂは続くステツプＳＰ１４に移つてカセツト情報ウインドＷ１２内でカーソル２５がダブルクリツクされたか否かを判断する。ここでダブルクリツクとはマウス１２Ｃのクリツクボタンを素早く２回押圧操作することを表し、ステツプＳＰ１４において否定結果が得られると、制御部１２Ｂは上述のステツプＳＰ１３に戻つて同様の処理を繰り返す。
【００３１】これに対してステツプＳＰ１４において肯定結果が得られると、このことは図６に示すように、カセツト情報ウインドＷ１２内に表示されたカセツト情報のいずれかにカーソル２５を移動し、この位置においてダブルクリツクすることにより、再生リストに転送しようとするカセツト情報が当該カーソル２５によつて指定されたことを表しており、このとき制御部１２Ｂは当該カセツト情報２７の背景色を変化させ、当該カセツト情報が指定されたことをユーザに知らせる。
【００３２】この状態において制御部１２Ｂは続くステツプＳＰ１５に移つてカセツト情報ウインドＷ１２において指定されたカセツト情報を再生リスト（プレイリスト）表示エリアＡＲ１に転送した後、上述のステツプＳＰ１３に戻つて同様の処理を繰り返す。
【００３３】
このように、カセツト情報ウインドＷ１２に表示されたカセツト情報をユーザが指定することにより、再生リストに当該カセツト情報を転送することができ、当該処理を繰り返すことにより、ユーザがカーソル２５によつてカセツト情報を順次指定するだけの簡単な操作によつて再生リストを正確に作成することができる。
　
３．本願発明と刊行物発明との対比・判断 
（ａ）刊行物１発明の「ＣＤ」「コンパクトディスクプレーヤ」は、本願補正発明の「記録媒体」「再生手段」に相当するから、刊行物１発明の「コンパクトディスクプレーヤにセットされたＣＤから読み取ったＴＯＣデータ」は、本願補正発明の「記録媒体から再生手段によって読み取られたデータ」に相当する。
（ｂ）刊行物１発明の「コンパクトディスクプレーヤにセットされたＣＤから読み取ったＴＯＣデータから」作成された「ＣＤ固有の識別子（ＩＤ）」は、本願補正発明の「記録媒体から再生手段によって読み取られたデータに基づく、当該記録媒体を独自に識別するために用いることができる識別情報」に相当する。
（ｃ）刊行物１発明の「検索」は、本願発明の「照会」に相当し、また、刊行物１発明の「コンピュータ」は「ＣＤから読み取ったＴＯＣデータからＣＤ固有の識別子（ＩＤ）を作成し、補助記憶装置の中にあるタイトル名、曲名などを管理するデータベースから現在持っているＩＤと一致するＩＤを持ったファイルを検索」（ＳＴＥＰ１〜ＳＴＥＰ４）し、「そのデータをコンピュータが適宜処理を行」（ＳＴＥＰ５）うものであり、「コンピュータ」が検索したデータをダウンロードしていることは自明であるから、これは、本願補正発明と「記録媒体から再生手段によって読み取られたデータに基づく、当該記録媒体を独自に識別するために用いることができる識別情報を、データベースに照会し、上記データベースから上記識別情報に対応する上記記録媒体に関連する関連情報をダウンロード」している点で共通する。
（ｄ）刊行物１発明は「コンピュータ」が「補助記憶装置の中にあるタイトル名、曲名などを管理するデータベースから現在持っているＩＤと一致するＩＤを持ったファイルを検索」（ＳＴＥＰ４）して取得し「そのデータをコンピュータが適宜処理を行」（ＳＴＥＰ５）うものであり、コンピュータが、処理を行うために、取得したデータを記憶していることは自明であり、刊行物１発明は、本願補正発明の「上記ダウンロードした関連情報を記憶手段に記憶」する機能の構成を備えている。
（ｅ）刊行物１発明の「ディスクに関するデータ管理システム」は、「補助記憶装置の中にあるタイトル名、曲名などを管理するデータベースから現在持っているＩＤと一致するＩＤを持ったファイルを検索」（ＳＴＥＰ３）（ＳＴＥＰ４）して取得する事項において、本願補正発明の「情報取得方法」に対応する。
　
　したがって、本願発明と刊行物発明との［一致点］及び［相違点］は以下のとおりである。　
　
 　［一致点］
「記録媒体から再生手段によって読み取られたデータに基づく、当該記録媒体を独自に識別するために用いることができる識別情報を、データベースに照会し、
　上記データベースから上記識別情報に対応する上記記録媒体に関連する関連情報をダウンロードし、
　上記ダウンロードした関連情報を記憶手段に記憶する情報取得方法。」の点。
　
　[相違点］
（相違点１）
　本願発明では「データベース」が「インターネット上のリモートデーベース」であるのに対して、刊行物１発明ではそのような特定がされていない点。
　
（相違点２）
　本願発明が「上記記憶手段に記憶された上記ダウンロードされた関連情報を用いて、利用者が再生リストの編集を行うことを可能にするためのユーザインタフェースを提供」するのに対して、刊行物１発明ではそのような特定がなされていない点。
　
４．当審の判断
　上記相違点について検討する。
（相違点１について）
　刊行物２には、識別コードに対応するデータを公衆回線を通じてホストコンピュータ上のデータベースから検索してダウンロードし保存することが記載されている。そして、刊行物２は、識別情報に対応するデータをデータベースから取得する点で刊行物１発明と共通する。
　したがって、刊行物１発明においても、識別コードに対応するデータを取得するためのデータベースを、公衆回線を通じてアクセスされるホストコンピュータ上のリモートデータベースとすることは当業者が容易に想到しうることである。そして、その際、ネットワークとしてインターネットを利用することも適宜なしうる程度のことである。
　
（相違点２について）
　刊行物３には、予めメモリに記憶されている記憶媒体の情報に基づいて、ユーザが再生リストの作成を可能とするユーザインタフェースを提供することが記載されている。
　そして、ＣＤプレーヤにおいて、再生リストの編集を行うインタフェースを提供することは周知事項（例えば、「ＦＭアクセサリ　ＧＡＭＥ　ＰＡＣＫ　ｆｏｒ　Ｗｉｎｄｏｗｓ　ＯＡＳＹＳ−ＣＤＶｉｅｗ／ＷＩＮ　ユーザーズガイド」，初版，富士通株式会社，１９９５年５月，ｐ．１−７等参照）であるから、刊行物１に記載された発明においても、再生リストの編集を行うためのユーザインタフェースを提供する程度のことは適宜なしうることであって、再生リストの編集を行うためのインタフェースとして、予めメモリに記録されている記録媒体の情報、つまり、データベースからダウンロードすることによりデータベースに記録されているタイトル情報等の関連情報を利用して、ユーザが再生リストの編集を可能とするユーザインタフェースを提供する上記相違点２の構成とすることは当業者が容易に想到しうることである。
　
　そして、上記相違点についての判断を総合しても本願補正発明の奏する効果は、各刊行物から当業者が十分予測可能なもので格別のものではない。
　
５．むすび　
 　以上のとおりであるから、本願請求項１に係る発明は、刊行物に記載された発明及び周知技術に基づいて当業者が容易に発明をすることができたものであるから、特許法第２９条第２項の規定により特許を受けることができないものである。 
 　したがって、本願は、その余の請求項について論及するまでもなく、拒絶をすべきものである。
　よって、結論のとおり審決する。